【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  血流を許し、妨げるための輪および複数の小葉を含む弁組織から成る心臓弁を修復するための装置であって、
第１の支持リングと、
前記第１の支持リングに接続されてコイル状の形状を形成する第２の支持リングとを備え、
前記第１の支持リングが弁の一方の側に接するように構成され、前記第２の支持リングが弁の反対側に接するように構成され、それによって互いの間に弁組織の一部分を捕らえる、装置。
【請求項２】  前記第１および第２の支持リングが外側層によって覆われた内側コアをそれぞれに有し、前記内側コアが前記外側層よりも硬い材料から形成された、請求項１に記載の装置。
【請求項３】  前記第１および第２の支持リングが概ね三角形の断面である、請求項１に記載の装置。
【請求項４】  前記第１の支持リングと第２の支持リングの間に伸びる複数の固定具をさらに備えた、請求項１に記載の装置。
【請求項５】  前記固定具が鋭利な突起を備えた、請求項４に記載の装置。
【請求項６】  前記固定具が、前記第１の支持リングから伸びる突起と、前記突起と係合するように構成された前記第２の支持リング上の受取り部材とを備えた、請求項４に記載の装置。
【請求項７】  前記支持リングのうちの少なくとも一方に結合され、弁組織を貫いた伸張位置まで前記固定具を作動させるように動作する作動部材をさらに備えた、請求項１に記載の装置。
【請求項８】  前記第１および第２の支持リングが形状記憶合金から形成された、請求項１に記載の装置。
【請求項９】  前記第１および第２の支持リングのうちの少なくとも一方のリング上にあって、弁組織との最初の係合の間、それぞれのリングと弁組織との間の摩擦を低減する取外し可能な材料をさらに備え、該材料を取り外すことによって、弁組織に装置を固定する間、摩擦を増大させることができる、請求項１に記載の装置。
【請求項１０】  弁組織との係合を容易にするために、前記第１および第２の支持リングの向かい合った表面が粗くなっている、請求項１に記載の装置。
【請求項１１】  前記向かい合ったそれぞれの表面にクッション材のコーティングをさらに備えた、請求項１０に記載の装置。
【請求項１２】  それぞれの前記支持リングが織布材料から形成された、請求項１に記載の装置。
【請求項１３】  前記支持リングのうちの少なくとも一方が波形の形状を含む、請求項１に記載の装置。
【請求項１４】  前記支持リングが平らな板材料から形成された、請求項１に記載の装置。
【請求項１５】  前記第１および第２の支持リングがコイル状に巻かれた棒から一体として形成され、この棒の一端が前記第１の支持リングの始端を形成し、該棒の他端が前記第２の支持リングの終端を形成する、請求項１に記載の装置。
【請求項１６】  前記始端および終端が概ね反対の方向に曲げられた、請求項１５に記載の装置。
【請求項１７】  前記第１および第２の支持リングが、第１の材料の内側層と第２の材料の外側層を含む多層構造であり、前記内側層が前記外側層よりも低い摩擦係数を有し、前記内側層が、互いの間の弁組織と係合するようになった前記第１および第２の支持リングの向かい合った表面に露出している、請求項１に記載の装置。
【請求項１８】  前記第１および第２の支持リングを弁の両側の適当な位置まで運び、次いで取り外されて、弁の両側に前記第１および第２の支持リングを残すように構成された取外し可能な担体をさらに備えた、請求項１に記載の装置。
【請求項１９】  弁輪の調整ができるよう前記第１および第２の支持リングの直径が調整可能である、請求項１に記載の装置。
【請求項２０】  血流を許し、妨げるための輪および複数の小葉を含む弁組織から成る心臓弁を修復するための装置であって、
心臓弁の少なくとも一方の側に取り付けるように構成された弁支持装置と、
前記弁支持装置と取外し可能に結合されたコイル形の担体であって、該弁支持装置を前記少なくとも一方の側の適当な位置まで回転させ、心臓弁を支持するために該弁支持装置を弁組織の一部分に固定することを可能にする担体と
を備えた装置。
【請求項２１】  血流を許し、妨げるための輪および複数の小葉を含む弁組織から成る心臓弁を修復するための装置であって、
ルーメンおよび開放端を有するカテーテルと、
前記ルーメンの中に担持され前記開放端から外へ移動可能な細長い弁支持部材とを備え、
前記細長い弁支持部材が、前記ルーメンの中ではコイルがほどけた形状であり、前記開放端から外へ延ばされるとコイル状に巻かれた形状を呈する、装置。
【請求項２２】  前記細長い弁支持部材が外側層によって覆われた内側コアを含み、前記内側コアが前記外側層よりも硬い材料から形成された、請求項２１に記載の装置。
【請求項２３】  前記細長い弁支持部材が概ね三角形の断面である、請求項２１に記載の装置。
【請求項２４】  前記ルーメンの中に担持され、前記細長い弁支持部材を前記開放端から外へ延ばすように動作する作動装置をさらに備えた、請求項２１に記載の装置。
【請求項２５】  前記作動装置がさらに、前記細長い弁支持部材の一端を把持し解放するように動作する把持要素を備えた、請求項２４に記載の装置。
【請求項２６】  前記細長い弁支持部材が形状記憶合金から形成された、請求項２１に記載の装置。
【請求項２７】  血流を許し、妨げるための輪および複数の小葉を含む弁組織から成る心臓弁を修復するための装置であって、
少なくとも部分的に形状記憶合金から形成され、活性形状および非活性形状を呈するように動作する第１の支持部材と、
少なくとも部分的に前記形状記憶合金から形成され、前記第１の支持部材に接続された第２の支持部材とを備え、
前記第１の支持部材が弁の一方の側に接するように構成され、前記第２の支持部材が弁の反対側に接するように構成され、それによって、前記形状記憶合金が前記活性形状をとったときに前記第１の支持部材と第２の支持部材の間に弁組織の一部分を捕らえる、装置。
【請求項２８】  前記第１および第２の支持部材がリングの形状である、請求項２７に記載の装置。
【請求項２９】  前記第１および第２の支持部材のうちの少なくとも一方の部材上にあって、形状記憶合金が活性形状をとったときに弁組織と係合する複数の固定要素をさらに備えた、請求項２７に記載の装置。
【請求項３０】  前記第１の支持部材が少なくとも１つの突起を含み、前記第２の支持部材が、前記突起を受け取る少なくとも１つの固定部分を含む、請求項２９に記載の装置。
【請求項３１】  血流を許し、妨げるための輪および複数の小葉を含む弁組織から成る心臓弁を修復するための装置であって、
担体と、
前記担体に取外し可能な方法で接続されたコイル形の部材とを備え、
前記コイル形部材が、弁の一方の側に接するように構成された第１の支持リングと、弁の反対側に接するように構成された第２の支持リングとを有し、それによって互いの間に弁組織の一部分を捕らえる、装置。
【請求項３２】  前記第１の支持リングと第２の支持リングの間に伸びる複数の固定具をさらに備えた、請求項３１に記載の装置。
【請求項３３】  前記固定具が鋭利な突起を備えた、請求項３２に記載の装置。
【請求項３４】  患者の心臓弁を置換するための置換弁装置であって、
第１の支持リングと、
前記第１の支持リングに接続されてコイル状の形状を形成する第２の支持リングとを備え、
前記第１の支持リングが弁組織の領域の一方の側に接するように構成され、前記第２の支持リングが弁組織の領域の反対側に接するように構成され、それによって互いの間に弁組織を捕らえ、
さらに、装置が、
前記第２の支持リングの内側に広がって自体を通過する血流を許し妨げる少なくとも１つの弁要素を含み、前記第２の支持リングに結合された置換弁を備えた、装置。
【請求項３５】  前記置換弁が前記第２の支持リングに取外し可能な方法で結合された、請求項３４に記載の装置。
【請求項３６】  前記置換弁および前記第２の支持リングが、リレータブル（ｒｅｌａｔａｂｌｅ）な結合を可能にするかみ合い係合要素を含む、請求項３５に記載の装置。
【請求項３７】  前記置換弁を前記第２の支持リングにねじ込むことができる、請求項３５に記載の装置。
【請求項３８】  前記第１の支持リングと第２の支持リングが概ね同じ平面にある、請求項３４に記載の装置。
【請求項３９】  前記第１の支持リングと第２の支持リングが実質的に異なる平面にある、請求項３４に記載の装置。
【請求項４０】  前記置換弁および前記第２の支持リングがそれぞれ、この置換弁を該第２の支持リングに固定するために互いの間に用いた縫合糸を受け取るようになったカフを含む、請求項３４に記載の装置。
【請求項４１】  前記第２の支持リングが可動固定要素を収容したカフを含み、該カフが、前記置換弁をこの第２の支持リングに結合するために該置換弁と係合可能である請求項３４に記載の装置。
【請求項４２】  前記固定要素が形状記憶合金から形成された、請求項４１に記載の装置。